(57)【特許請求の範囲】
【請求項１】
通信回線に対して複数の通信端末を接続するために複数個の内線ポートを有し、各内線ポートに接続コードを設定することにより当該内線ポートに接続された上記通信端末の上記通信回線を介しての通信が可能になる通信制御装置であって、
上記内線ポートごとに上記接続コードを設定するための操作手段と、
上記接続コードが設定された上記内線ポートとその接続コードとの対応関係を示す内線ポート情報を記憶する内線ポート情報記憶手段と、
上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させるとともに、上記操作手段により上記接続コードが設定された内線ポート以外の接続コード未設定の内線ポートに対しても、上記操作手段により入力された上記一つの内線ポートに対する接続コードと同一の接続コードを割り当て、それらの内線ポートと接続コードとの対応関係を示す内線ポート情報を上記内線ポート情報記憶手段に記憶させる記憶制御手段とを有することを特徴とする通信制御装置。
【請求項２】
通信回線に対して複数の通信端末を接続するために複数個の内線ポートを有し、各内線ポートに接続コードが設定されることにより当該内線ポートに接続された上記通信端末の上記通信回線を介しての通信を可能にする通信制御装置であって、
上記内線ポートごとに上記接続コードを設定するための操作手段と、
上記接続コードが設定された上記内線ポートとその接続コードとの対応関係を示す内線ポート情報を記憶する内線ポート情報記憶手段と、
上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させる第１の記憶制御手段と、
上記第１の記憶制御手段により上記内線ポート情報が上記内線ポート情報記憶手段に記憶されることによりその内線ポート情報記憶手段に記憶された接続コードが既に記憶されている接続コードと重複することになったか否かを判定する判定手段と、
上記判定手段により接続コードが重複することになったと判定されると、上記操作手段により上記接続コードが設定された内線ポート以外の接続コード未設定の全ての内線ポートに対して上記操作手段により入力された上記一つの内線ポートに対する接続コードと同一の接続コードを割り当て、その内線ポートと接続コードとの対応関係を示す内線ポート情報を上記内線ポート情報記憶手段に記憶させる第２の記憶制御手段と、
を有することを特徴とする通信制御装置。
【請求項３】
上記接続コードは、上記通信回線を通じて相手先から送信されてくるダイヤルイン番号である、請求項１または請求項２に記載の通信制御装置。
【請求項４】
通信回線に対して複数の通信端末を接続するために複数個の内線ポートと、上記内線ポートごとに接続コードを設定するための操作手段と、上記接続コードが設定された上記内線ポートとその接続コードとの対応関係を示す内線ポート情報を記憶する内線ポート情報記憶手段とを備え、各内線ポートに上記接続コードを設定することにより当該内線ポートに接続された上記通信端末の上記通信回線を介しての通信が可能になる通信制御装置を制御するためのプログラムを記憶したコンピュータ読み取り可能な記憶媒体であって、
コンピュータを、上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させるとともに、上記操作手段により上記接続コードが設定された内線ポート以外の接続コード未設定の内線ポートに対しても、上記操作手段により入力された上記一つの内線ポートに対する接続コードと同一の接続コードを割り当て、それらの内線ポートと接続コードとの対応関係を示す内線ポート情報を上記内線ポート情報記憶手段に記憶させる記憶制御手段として機能させるプログラムを記憶したことを特徴とするコンピュータ読み取り可能な記憶媒体。
【請求項５】
通信回線に対して複数の通信端末を接続するために複数個の内線ポートと、上記内線ポートごとに上記接続コードを設定するための操作手段と、上記接続コードが設定された上記内線ポートとその接続コードとの対応関係を示す内線ポート情報を記憶する内線ポート情報記憶手段とを備え、上記内線ポートに上記接続コードを設定することにより当該内線ポートに接続された上記通信端末の上記通信回線を介しての通信が可能になる通信制御装置を制御するためのプログラムを記憶したコンピュータ読み取り可能な記憶媒体であって、
コンピュータを、上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させる第１の記憶制御手段と、
上記第１の記憶制御手段により上記内線ポート情報が上記内線ポート情報記憶手段に記憶されることによりその内線ポート情報記憶手段に記憶された接続コードが既に記憶されている接続コードと重複することになったか否かを判定する判定手段と、
上記判定手段により接続コードが重複することになったと判定されると、上記操作手段により上記接続コードが設定された内線ポート以外の接続コード未設定の全ての内線ポートに対して上記操作手段により入力された上記一つの内線ポートに対する接続コードと同一の接続コードを割り当て、その内線ポートと接続コードとの対応関係を示す内線ポート情報を上記内線ポート情報記憶手段に記憶させる第２の記憶制御手段と、
して機能させるプログラムを記憶したことを特徴とするコンピュータ読み取り可能な記憶媒体。
【発明の詳細な説明】
【０００１】
【発明の属する技術分野】
本発明は、いわゆるダイヤルイン方式に基づいて通信回線と複数の電話装置などとの間で通信制御を行う通信制御装置、およびその通信制御装置を制御するためのプログラムを記憶した記憶媒体に関する。
【０００２】
【従来の技術】
従来より、ダイヤルイン方式に基づいて通信回線と複数の電話装置などとの間で通信制御を行う代表的なものとしては、構内交換機（ＰＢＸ）が広く知られている。
【０００３】
この種の構内交換機では、一または複数の通信回線に対して複数台の電話装置などを内線電話として接続可能であり、複数台の電話装置などは、複数個の内線ポートを介して接続される。内線ポートそれぞれには、ダイヤルイン契約をした上でユーザ設定によってダイヤルイン番号が割り当て可能とされており、構内交換機が通信回線を通じて相手先からダイヤルイン番号を受信すると、そのダイヤルイン番号に応じた内線ポートが選択されるとともに、その内線ポートに接続された電話装置と通信回線とがダイヤルイン方式によって回線接続されている。
【０００４】
【発明が解決しようとする課題】
しかし、上記従来の構内交換機では、新たに電話装置を増設する場合、その増設ごとに未使用の内線ポートに対してダイヤルイン番号を割り当てる必要があり、ダイヤルイン番号を実際に割り当てるユーザにとっては、増設する電話装置などが多数あると、内線ポート各々に対してダイヤルイン番号を割り当てなければならず、増設する際のダイヤルイン番号の設定が面倒で、かつユーザ負担が大きいという問題があった。
【０００５】
本発明は、上記の点に鑑みて提案されたものあって、通信端末を増設する場合、ユーザによる設定操作を簡略化し、かつユーザ負担を軽減することができる通信制御装置、およびその通信制御装置を制御するためのプログラムを記憶した記憶媒体を提供することを目的とする。
【０００６】
【課題を解決するための手段】
上記目的を達成するために、請求項１に記載した発明の通信制御装置は、通信回線に対して複数の通信端末を接続するために複数個の内線ポートを有し、各内線ポートに接続コードを設定することにより当該内線ポートに接続された上記通信端末の上記通信回線を介しての通信が可能になる通信制御装置であって、上記内線ポートごとに上記接続コードを設定するための操作手段と、上記接続コードが設定された上記内線ポートとその接続コードとの対応関係を示す内線ポート情報を記憶する内線ポート情報記憶手段と、上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させるとともに、上記操作手段により上記接続コードが設定された内線ポート以外の接続コード未設定の内線ポートに対しても、上記操作手段により入力された上記一つの内線ポートに対する接続コードと同一の接続コードを割り当て、それらの内線ポートと接続コードとの対応関係を示す内線ポート情報を上記内線ポート情報記憶手段に記憶させる記憶制御手段とを有することを特徴としている。
【０００７】
この通信制御装置によれば、複数個の内線ポートのうち、いずれか一つの内線ポートに対して操作手段により接続コードが設定されると、その一つの内線ポートにその接続コードが割り当てられ、その一つの内線ポートと接続コードとの対応関係を示す内線ポート情報が内線ポート情報記憶手段に記憶されるとともに、操作手段により接続コードが設定された内線ポート以外の接続コード未設定の内線ポートに対しても操作手段により入力された一つの内線ポートに対する接続コードと同一の接続コードが自動的に割り当てられ、それらの内線ポートと接続コードとの対応関係を示す内線ポート情報が自動的に内線ポート情報記憶手段に記憶されるので、接続コードを少なくとも１つの内線ポートに対して設定すれば、通信端末を増設するためにユーザが残余の接続コード未設定の内線ポート全てについて接続コードを割り当てる必要もなく、残余のうちの所定ポートについては接続コードが自動的に割り当てられることから、ユーザによる設定操作を簡略化し、かつユーザ負担を軽減することができる。
【０００８】
通信回線としては、公衆回線であっても専用回線であってもよく、また有線であっても無線であってもよい。
【０００９】
通信端末としては、主に音声信号を送受信する電話装置や、画像信号を送受信するファクシミリ装置が適用可能であるが、特に電話装置やファクシミリ装置に限ることはなく、パーソナルコンピュータなどのような通信機能を有するものであってもよい。
【００１０】
残余の内線ポートのうちの所定ポートとしては、ポート番号などにより優先順位に基づいて定められた内線ポートや、接続コード未設定の内線ポートが該当する。
【００１１】
また、請求項２に記載した発明の通信制御装置は、通信回線に対して複数の通信端末を接続するために複数個の内線ポートを有し、各内線ポートに接続コードが設定されることにより当該内線ポートに接続された上記通信端末の上記通信回線を介しての通信を可能にする通信制御装置であって、上記内線ポートごとに上記接続コードを設定するための操作手段と、上記接続コードが設定された上記内線ポートとその接続コードとの対応関係を示す内線ポート情報を記憶する内線ポート情報記憶手段と、上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させる第１の記憶制御手段と、上記第１の記憶制御手段により上記内線ポート情報が上記内線ポート情報記憶手段に記憶されることによりその内線ポート情報記憶手段に記憶された接続コードが既に記憶されている接続コードと重複することになったか否かを判定する判定手段と、上記判定手段により接続コードが重複することになったと判定されると、上記操作手段により上記接続コードが設定された内線ポート以外の接続コード未設定の全ての内線ポートに対して上記操作手段により入力された上記一つの内線ポートに対する接続コードと同一の接続コードを割り当て、その内線ポートと接続コードとの対応関係を示す内線ポート情報を上記内線ポート情報記憶手段に記憶させる第２の記憶制御手段とを有することを特徴としている。
【００１２】
この通信制御装置によれば、複数個の内線ポートのうち、いずれか一つの内線ポートに接続コードを設定し、その内線ポート情報が内線ポート情報記憶手段に記憶されると、その内線ポート情報記憶手段に記憶された接続コードが既に記憶されている接続コードと重複することになったか否かを判定し、接続コードが重複することになると、その重複した接続コードが接続コード未設定の全ての内線ポートの接続コードとして自動的に割り当てられ、それらの内線ポートと接続コードとの対応関係を示す内線ポート情報が自動的に内線ポート情報記憶手段に記憶されるので、通信端末を増設する際に接続コードが未設定の内線ポートに対して接続コードを割り当てる必要もなく、ユーザによる設定操作を簡略化し、かつユーザ負担を軽減することができる。
【００１３】
さらに、請求項３に記載した発明の通信制御装置は、請求項１または請求項２に記載の通信制御装置であって、上記接続コードは、上記通信回線を通じて相手先から送信されてくるダイヤルイン番号である。
【００１４】
この通信制御装置によれば、請求項１または請求項２に記載の通信制御装置による効果に加えて、接続コードが通信回線を通じて相手先から送信されてくるダイヤルイン番号であるので、そのようなダイヤルイン番号に基づいて交換制御を行う構内交換機によって最適な動作を実現することができる。
【００１５】
また、請求項４に記載した発明の記憶媒体は、通信回線に対して複数の通信端末を接続するために複数個の内線ポートと、上記内線ポートごとに接続コードを設定するための操作手段と、上記接続コードが設定された上記内線ポートとその接続コードとの対応関係を示す内線ポート情報を記憶する内線ポート情報記憶手段とを備え、各内線ポートに上記接続コードを設定することにより当該内線ポートに接続された上記通信端末の上記通信回線を介しての通信が可能になる通信制御装置を制御するためのプログラムを記憶したコンピュータ読み取り可能な記憶媒体であって、コンピュータを、上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させるとともに、上記操作手段により上記接続コードが設定された内線ポート以外の接続コード未設定の内線ポートに対しても、上記操作手段により入力された上記一つの内線ポートに対する接続コードと同一の接続コードを割り当て、それらの内線ポートと接続コードとの対応関係を示す内線ポート情報を上記内線ポート情報記憶手段に記憶させる記憶制御手段として機能させるプログラムを記憶したことを特徴としている。
【００１６】
この記憶媒体によれば、記憶されたプログラムに基づいてＣＰＵを動作させることにより、請求項１に記載の通信制御装置の動作を実現することができる。
【００１７】
さらに、請求項５に記載した発明の記憶媒体は、通信回線に対して複数の通信端末を接続するために複数個の内線ポートと、上記内線ポートごとに上記接続コードを設定するための操作手段と、上記接続コードが設定された上記内線ポートとその接続コードとの対応関係を示す内線ポート情報を記憶する内線ポート情報記憶手段とを備え、上記内線ポートに上記接続コードを設定することにより当該内線ポートに接続された上記通信端末の上記通信回線を介しての通信が可能になる通信制御装置を制御するためのプログラムを記憶したコンピュータ読み取り可能な記憶媒体であって、コンピュータを、上記複数個の内線ポートのうち、いずれか一つの内線ポートに対して上記操作手段により接続コードが設定されると、その一つの内線ポートに上記操作手段により入力された接続コードを割り当て、その一つの内線ポートと接続コードとの対応関係を示す内線ポート情報を上記内線ポート情報記憶手段に記憶させる第１の記憶制御手段と、上記第１の記憶制御手段により上記内線ポート情報が上記内線ポート情報記憶手段に記憶されることによりその内線ポート情報記憶手段に記憶された接続コードが既に記憶されている接続コードと重複することになったか否かを判定する判定手段と、上記判定手段により接続コードが重複することになったと判定されると、上記操作手段により上記接続コードが設定された内線ポート以外の接続コード未設定の全ての内線ポートに対して上記操作手段により入力された上記一つの内線ポートに対する接続コードと同一の接続コードを割り当て、その内線ポートと接続コードとの対応関係を示す内線ポート情報を上記内線ポート情報記憶手段に記憶させる第２の記憶制御手段として機能させるプログラムを記憶したことを特徴としている。
【００１８】
この記憶媒体によれば、記憶されたプログラムに基づいてＣＰＵを動作させることにより、請求項２に記載の通信制御装置の動作を実現することができる。
【００１９】
【発明の実施の形態】
以下、本発明の好ましい実施の形態ついて図面を参照して具体的に説明する。
【００２０】
図１は、本発明にかかる通信制御装置の一例として、その回路構成を示した回路ブロック図であって、この図に示すように、通信制御装置１は、ＣＰＵ１１、ＲＯＭ１２、ＲＡＭ１３、ＥＥＰＲＯＭ１４、ＮＣＵ１５、およびインターフェース１６を具備して構成されている。ＣＰＵ１１、ＲＯＭ１２、ＲＡＭ１３、ＥＥＰＲＯＭ１４、ＮＣＵ１５、およびインターフェース１６は、バス線により相互に接続されている。バス線には、アドレスバス、データバス、および制御信号線が含まれる。ＮＣＵ１５には、通信回線の一例としての公衆電話回線２０が接続されている。インターフェース１６には、電話装置やファクシミリ装置などの数台から数千台にわたる通信端末２１…が接続可能とされている。
【００２１】
ＣＰＵ１１は、ＲＯＭ１２に記憶されたプログラムに基づいて動作することにより、通信制御装置１全体を制御する。ＲＯＭ１２は、各種のプログラムや初期設定値などのデータを記憶している。ＲＡＭ１３は、通信制御に関する各種データを記憶するとともに、ＣＰＵ１１に対して作業領域を提供する。ＥＥＰＲＯＭ１４は、各種のフラグや登録データなどを記憶する。ＮＣＵ１５は、公衆電話回線２０に接続されて網制御を行う。インターフェース１６は、ＣＰＵ１１と通信端末２１…との入出力接点として機能する。
【００２２】
図２は、インターフェース１６における通信端末２１…を接続するための接続部を示した概略外観図であって、この図に示すように、通信端末２１…を接続するための接続部には、各通信端末２１を接続するための数口から数千口にわたる内線ポート１６０…が設けられているとともに、これら内線ポート１６０…のそれぞれに対してダイヤルイン番号（接続コード）を設定するためのキースイッチ１６１が設けられている。ここで、各内線ポート１６０に対して設定されるダイヤルイン番号とは、回線加入契約などの際、一の加入回線に対して与えられる複数の電話番号であって、このダイヤルイン番号を取得するためには、ダイヤルインサービスの提供を受けることが前提とされている。
【００２３】
要点について説明すると、本実施形態における通信制御装置１には、内線ポート１６０ａ，１６０ｂ，…を介して複数台の通信端末２１ａ，２１ｂ，…が接続されており、各内線ポート１６０には、異なるダイヤルイン番号がユーザ設定によって設定可能とされている。
【００２４】
ここで、ダイヤルイン番号の設定状態を表す内線ポート情報の模式図を図３に示す。この図を参照して説明すると、ユーザ設定には、マニュアル設定モードと自動設定モードがあり、マニュアル設定モードでは、各内線ポート１６０ごとにユーザがキースイッチ１６１を操作してダイヤルイン番号を個別に設定することができる。一方、自動設定モードでは、たとえばポート番号１の内線ポート１６０ａにダイヤルイン番号「１１１１」を設定すると、他の未設定とされたポート番号２以降の全ての内線ポート１６０ｂ，１６０ｃ，…についても、ＣＰＵ１１の制御によって同一のダイヤルイン番号「１１１１」が自動的に割り当てられる。自動設定モードにおいてさらに進んで、たとえばポート番号３の内線ポート１６０ｃにダイヤルイン番号「２２２２」を設定すると、ポート番号４以降の内線ポート１６０ｄ，１６０ｅ，…に同一のダイヤルイン番号「２２２２」が自動的に割り当てられる。つまり、自動設定モードにおいてダイヤルイン番号をユーザ設定するごとに、設定した内線ポート１６０より上位の内線ポートに対して自動的に同一のダイヤルイン番号が割り当てられることとなる。
【００２５】
このようにして、各内線ポート１６０に対してユーザ設定または自動的に割り当てられたダイヤルイン番号は、内線ポート情報としてＥＥＰＲＯＭ１４に記憶される。そして、マニュアル設定モードにおいて、たとえばポート番号１，２の内線ポート１６０ａ，１６０ｂに同一のダイヤルイン番号「１１１１」が設定され、ＥＥＰＲＯＭ１４にダイヤルイン番号が重複して記憶された場合、ＣＰＵ１１は、ポート番号１，２以外の番号未設定の内線ポート１６０に対し、その重複したダイヤルイン番号「１１１１」を割り当てる。
【００２６】
これにより、相手先からの呼出信号に加えて、たとえばダイヤルイン番号「１１１１」を内容とする発信信号を公衆電話回線２０を介して受信した場合、ＣＰＵ１１は、ダイヤルイン番号「１１１１」に該当するポート番号の内線ポート１６０を選択するとともに、その内線ポート１６０を介して接続された通信端末２１に対して呼出信号を送出する。一方、ダイヤルイン番号「２２２２」を内容とする発信信号を受信した場合、ＣＰＵ１１は、ダイヤルイン番号「２２２２」に該当する内線ポート１６０を選択するとともに、その内線ポート１６０に接続された通信端末２１に対して呼出信号を送出する。つまり、相手先から送信されてくるダイヤルイン番号に応じた所定の通信端末２１のみが、ＣＰＵ１１の制御によって選択的に回線接続される。
【００２７】
すなわち、ＥＥＰＲＯＭ１４は、複数の内線ポートに設定された接続コードを記憶している接続コード記憶手段を実現している。
【００２８】
ＣＰＵ１１は、複数の内線ポートのうち、いずれかの内線ポートに対して接続コードが設定されると、残余の内線ポートのうちの所定ポートについても同一の接続コードを割り当てる接続コード自動割り当て手段を実現している。また、ＣＰＵ１１は、接続コード記憶手段に記憶された接続コードに重複がある場合、その重複した接続コードを未設定の内線ポートの接続コードとして割り当てる未設定ポート割り当て手段を実現している。
【００２９】
ＲＯＭ１３は、通信回線に対して複数の通信端末を接続するために複数個の内線ポートを有し、これら複数個の内線ポートを接続コードに基づいて切り換えつつ、上記通信回線と通信端末との間で各種信号を交換する通信制御装置を制御するためのプログラムを記憶した記憶媒体であって、上記複数の内線ポートのうち、いずれかの内線ポートに対して接続コードが設定されると、残余の内線ポートのうちの所定ポートについても同一の接続コードを割り当てるための接続コード自動割り当てプログラムを含むプログラムを記憶した記憶媒体を実現している。また、ＲＯＭ１３は、上記複数の内線ポートに設定された接続コードを記憶させるための接続コード記憶制御プログラムと、上記接続コード記憶制御プログラムに基づいて記憶された接続コードに重複がある場合、その重複した接続コードを未設定の内線ポートの接続コードとして割り当てるための未設定ポート割り当てプログラムとを含むプログラムを記憶した記憶媒体を実現している。
【００３０】
なお、図１〜図３に示す内線ポート１６０ａ，１６０ｂ，…、および通信端末２１ａ，２１ｂ，…については、便宜上、符号の一部を省略して図示説明をした箇所もある。
【００３１】
次に、上記構成を有する通信制御装置１の動作の要点について、図４に示すフローチャートを参照して説明する。
【００３２】
図４は、通信制御装置１におけるダイヤルイン番号の設定手順を示したフローチャートであって、この図に示すように、ＣＰＵ１は、まずユーザのキー操作によって自動設定モードが選択されたか否かを判断している（Ｓ１）。
【００３３】
自動設定モードが選択された場合（Ｓ１：ＹＥＳ）、ＣＰＵ１１は、ユーザのキー操作による設定入力を待つとともに、ポート番号ｎに対するダイヤルイン番号が設定入力された時点で、そのダイヤルイン番号をポート番号ｎの設定番号としてＥＥＰＲＯＭ１４に記憶させる（Ｓ２）。
【００３４】
その後、ＣＰＵ１１は、ポート番号ｎ＋１以降に対するダイヤルイン番号としてＳ２の設定番号を割り当てるとともに、その設定番号をＥＥＰＲＯＭ１４に記憶させる（Ｓ３）。つまり、自動設定モードにおいてダイヤルイン番号をユーザ設定するごとに、設定したポート番号より上位のポート番号に対して自動的に同一のダイヤルイン番号が割り当てられる。
【００３５】
Ｓ３の自動割り当て処理の後、ＣＰＵ１１は、さらに進んでダイヤルイン番号の設定操作がユーザによってされたか否かを判断し（Ｓ４）、設定操作がない場合（Ｓ４：ＹＥＳ）、この番号設定処理に関するシーケンスプログラムの実行を終了する。
【００３６】
Ｓ４において、ユーザによって設定操作がされた場合（Ｓ４：ＮＯ）、ＣＰＵ１１は、Ｓ１に戻って処理動作を繰り返す。
【００３７】
Ｓ１において、マニュアル設定モードが選択された場合（Ｓ１：ＮＯ）、ＣＰＵ１１は、ユーザのキー操作による設定入力を待つとともに、ポート番号ｋに対するダイヤルイン番号が設定入力された時点で、そのダイヤルイン番号をポート番号ｋの設定番号としてＥＥＰＲＯＭ１４に記憶させる（Ｓ５）。
【００３８】
その後、ＣＰＵ１１は、Ｓ５において設定番号として記憶させたダイヤルイン番号が、既にＥＥＰＲＯＭ１４に記憶されているダイヤルイン番号と重複するか否かを判定する（Ｓ６）。
【００３９】
設定されたダイヤルイン番号が既に記憶された番号と重複する場合（Ｓ６：ＹＥＳ）、ＣＰＵ１１は、ダイヤルイン番号が未設定の内線ポート１６０に対して重複した番号を割り当てるとともに、その重複番号とダイヤルイン番号未設定の内線ポートとの対応関係を内線ポート情報としてＥＥＰＲＯＭ１４に記憶させ（Ｓ７）、その後Ｓ４の判断処理に移る。
【００４０】
Ｓ６において、設定されたダイヤルイン番号が既に記憶された番号と重複しない場合（Ｓ６：ＮＯ）、ＣＰＵ１１は、Ｓ７の記憶処理を行うことなくＳ４に飛んで所定の判断処理に移行する。
【００４１】
したがって、以上の構成、動作を有する通信制御装置１によれば、自動設定モードにおいて、ユーザ設定によりポート番号ｎの内線ポートにダイヤルイン番号が設定されると、そのポート番号ｎより上位のポート番号ｎ＋１以降の内線ポート全てに対して同一のダイヤルイン番号が自動的に割り当てられるので、ダイヤルイン番号を少なくとも１つの内線ポートに対して設定すれば、通信端末を増設する際にユーザが番号未設定の内線ポートに対してダイヤルイン番号を割り当てる必要もなく、ユーザによる設定操作を簡略化し、かつユーザ負担を軽減することができる。
【００４２】
また、マニュアル設定モードでは、内線ポートに対して既に設定されて記憶されたダイヤルイン番号に重複があるならば、その重複したダイヤルイン番号が未設定の内線ポートのダイヤルイン番号として自動的に割り当てられているので、通信端末を増設する際に番号未設定の内線ポートに対してダイヤルイン番号を割り当てる必要もなく、ユーザによる設定操作を簡略化し、かつユーザ負担を軽減することができる。
【００４３】
【発明の効果】
以上説明したように、請求項１に記載した発明の通信制御装置によれば、複数個の内線ポートのうち、いずれか一つの内線ポートに対して操作手段により接続コードが設定されると、、その一つの内線ポートにその接続コードが割り当てられ、その一つの内線ポートと接続コードとの対応関係を示す内線ポート情報が内線ポート情報記憶手段に記憶されるとともに、操作手段により接続コードが設定された内線ポート以外の接続コード未設定の内線ポートに対しても操作手段により入力された一つの内線ポートに対する接続コードと同一の接続コードが自動的に割り当てられ、それらの内線ポートと接続コードとの対応関係を示す内線ポート情報が自動的に内線ポート情報記憶手段に記憶されるので、接続コードを少なくとも１つの内線ポートに対して設定すれば、通信端末を増設するためにユーザが残余の接続コード未設定の内線ポート全てについて接続コードを割り当てる必要もなく、残余のうちの所定ポートについては接続コードが自動的に割り当てられることから、ユーザによる設定操作を簡略化し、かつユーザ負担を軽減することができる。
【００４４】
また、請求項２に記載した発明の通信制御装置によれば、複数個の内線ポートのうち、いずれか一つの内線ポートに接続コードを設定し、その内線ポート情報が内線ポート情報記憶手段に記憶されると、その内線ポート情報記憶手段に記憶された接続コードが既に記憶されている接続コードと重複することになったか否かを判定し、接続コードが重複することになると、その重複した接続コードが接続コード未設定の全ての内線ポートの接続コードとして自動的に割り当てられ、それらの内線ポートと接続コードとの対応関係を示す内線ポート情報が自動的に内線ポート情報記憶手段に記憶されるので、通信端末を増設する際に接続コードが未設定の内線ポートに対して接続コードを割り当てる必要もなく、ユーザによる設定操作を簡略化し、かつユーザ負担を軽減することができる。
【００４５】
さらに、請求項３に記載した発明の通信制御装置によれば、請求項１または請求項２に記載の通信制御装置による効果に加えて、接続コードが通信回線を通じて相手先から送信されてくるダイヤルイン番号であるので、そのようなダイヤルイン番号に基づいて交換制御を行う構内交換機によって最適な動作を実現することができる。
【００４６】
また、請求項４に記載した発明の記憶媒体によれば、記憶されたプログラムに基づいてＣＰＵを動作させることにより、請求項１に記載の通信制御装置の動作を実現することができる。
【００４７】
さらに、請求項５に記載した発明の記憶媒体によれば、記憶されたプログラムに基づいてＣＰＵを動作させることにより、請求項２に記載の通信制御装置の動作を実現することができる。
【図面の簡単な説明】
【図１】  本発明にかかる通信制御装置の一例として、その回路構成を示した回路ブロック図である。
【図２】  インターフェースにおける通信端末を接続するための接続部を示した概略外観図である。
【図３】  ダイヤルイン番号の設定状態を表す内線ポート情報を模式的に示した模式図である。
【図４】  通信制御装置におけるダイヤルイン番号の設定手順を示したフローチャートである。
【符号の説明】
１                      通信制御装置
１１                    ＣＰＵ
１２                    ＲＯＭ
１３                    ＲＡＭ
１４                    ＥＥＰＲＯＭ
１５                    ＮＣＵ
１６                    インターフェース（Ｉ／Ｆ）
１６０ａ，１６０ｂ，…  内線ポート
１６１                  キースイッチ
２０                    公衆電話回線
２１ａ，２１ｂ，…      通信端末
【図１】
0004281122.tif 000002
【図２】
0004281122.tif 000003
【図３】
0004281122.tif 000004
【図４】
0004281122.tif 000005